(57)【要約】【課題】様々な形態の施工途中のバルコニー等の持出し部を、確実かつ排水性良好に養生することのできる建物の養生方法と、この養生方法に適用される養生シート取付け部品を提供すること。【解決手段】建物躯体に係止されるとともに、少なくとも養生シート６００が取付け自在な養生シート取付け部品１００であって、建物躯体に係止される第一フック１０と、一端が第一フック１０に回動自在に係合し、他端に養生シート６００が取付け自在である第二フック２０と、第一フック１０に対する第二フック２０の水平面内の回動を規制する第一規制手段３１と、第一フック１０に対する第二フック２０の鉛直面内の回動を規制する第二規制手段３２と、を有する。【選択図】図１
2019167702.tif 000002
【特許請求の範囲】
【請求項１】
建物躯体に係止されるとともに、少なくとも養生シートが取付け自在な養生シート取付け部品であって、
前記建物躯体に係止される第一フックと、
一端が前記第一フックに回動自在に係合し、他端に前記養生シートが取付け自在である第二フックと、
前記第一フックに対する前記第二フックの水平面内の回動を規制する第一規制手段と、
前記第一フックに対する前記第二フックの鉛直面内の回動を規制する第二規制手段と、を有することを特徴とする、養生シート取付け部品。
【請求項２】
前記第一フックは軸部を有し、該軸部の一端は前記建物躯体に係止される第一爪を有しており、
前記第二フックは軸部を有し、該軸部の一端は前記第一フックの他端に回動自在に係合し、該軸部の他端は少なくとも養生シートに係合する第二爪を有しており、
前記第一規制手段と前記第二規制手段がいずれも付勢部材であることを特徴とする、請求項１に記載の養生シート取付け部品。
【請求項３】
前記第一フックが前記軸部の先端に二股部を有し、二股部の各先端に前記第一爪を有することを特徴とする、請求項２に記載の養生シート取付け部品。
【請求項４】
前記第一フックはＶ字状を成す二本の軸部を有し、各軸部は先端に前記建物躯体に係止される第一爪を有しており、
前記第二フックは軸部を有し、該軸部の一端は前記第一フックの二本の前記軸部の交点に回動自在に係合し、該軸部の他端は少なくとも養生シートに係合する第二爪を有しており、
前記第二フックのうち、前記第一フックに係合する一端には、前記第一フックの二本の前記軸部の内側にあるＶ字状片と、該Ｖ字状片の上下にある上片及び下片と、を有する規制ブロックが固定されており、
前記規制ブロックの前記Ｖ字状片が前記第一規制手段であり、前記規制ブロックの前記上片及び前記下片が前記第二規制手段であることを特徴とする、請求項１に記載の養生シート取付け部品。
【請求項５】
請求項１乃至４のいずれか一項に記載の養生シート取付け部品の前記第一フックを前記建物躯体に係止し、前記第二フックに前記養生シートを取付け、該養生シートを、該建物躯体における前記第一フックが係止されていない他の箇所、もしくは、該建物躯体の側方にある仮設足場のいずれかに仮固定することを特徴とする、建物の養生方法。
【請求項６】
前記養生シート取付け部品の前記第二フックに、前記養生シートと該養生シートを下方から支持するバンドを取付け、該養生シートと該バンドを、該建物躯体における前記第一フックが係止されていない他の箇所、もしくは、該建物躯体の側方にある仮設足場のいずれかに仮固定することを特徴とする、請求項５に記載の建物の養生方法。
【請求項７】
前記建物躯体が形鋼材の上フランジであり、
前記養生シートにて施工中のバルコニーを養生することを特徴とする、請求項５又は６に記載の建物の養生方法。
【発明の詳細な説明】
【技術分野】
【０００１】
本発明は、養生シート取付け部品と、養生シートを使用した建物の養生方法に関する。
【背景技術】
【０００２】
建物の施工現場における雨養生は一般に、例えば市販の養生シートを被養生箇所の上から覆い、紐やゴムバンド等を介して建物躯体や建物躯体側方の仮設足場等に仮固定する方法により、行われている（例えば、特許文献１参照）。
【先行技術文献】
【特許文献】
【０００３】
【特許文献１】特開２００９−６８２８８号公報
【発明の概要】
【発明が解決しようとする課題】
【０００４】
ところで、建物の途中階に配置され、主棟の構面から持出されているバルコニー等の持出し部には、防水工事前の雨養生が要求される。この持出し部は、主棟に対する出幅の大小や屋根形状（寄棟、切妻、陸屋根、片流れ等）、さらには軒側とケラバ側のいずれに位置しているか等により、養生の難易度が異なってくる。例えば陸屋根や片流れ屋根の建物の側方にある持出し部やケラバ側にある持出し部に養生シートを張設する場合は、主棟における養生シートの固定位置が定まり難く、一般に養生が困難になり易い。そのため、例えば持出し部の施工途中に養生シートを張設する場合でも、この養生シートに対して適切な水勾配を取ることが難しい場合があり、また、養生シートを弛み易い態様で張設せざるを得ない場合が生じ得る。
【０００５】
このように養生シートが弛んでしまうと、養生シート上への雨水の滞留や、滞留した雨水の重量等に起因する養生シートの破れの恐れがあり、さらには、養生シート上に雨水が滞留することに起因して、屋外への雨水の排水不良が生じ易くなる。そして、これらの要因が重なると、養生シート直下にあって未だ防水施工が施されていない持出し部の床や、持出し部の下階の室内に対して雨漏れが発生し得る。
【０００６】
なお、上記する特許文献１に記載の雨天養生システムは、例えば屋根全体を覆うシステムであり、バルコニー等の持出し部を確実かつ排水性良好に養生できるシステムとは言い難い。
【０００７】
本発明は上記する問題に鑑みてなされたものであり、様々な形態の施工途中のバルコニー等の持出し部を、確実かつ排水性良好に養生することのできる建物の養生方法と、この養生方法に適用される養生シート取付け部品を提供することを目的としている。
【課題を解決するための手段】
【０００８】
前記目的を達成すべく、本発明による養生シート取付け部品の一態様は、建物躯体に係止されるとともに、少なくとも養生シートが取付け自在な養生シート取付け部品であって、
前記建物躯体に係止される第一フックと、
一端が前記第一フックに回動自在に係合し、他端に前記養生シートが取付け自在である第二フックと、
前記第一フックに対する前記第二フックの水平面内の回動を規制する第一規制手段と、
前記第一フックに対する前記第二フックの鉛直面内の回動を規制する第二規制手段と、を有することを特徴とする。
【０００９】
本態様によれば、相互に係合自在な第一フックと第二フックから形成され、建物躯体に係合される第一フックに対して第二フックの水平面内と鉛直面内のそれぞれの回動を規制する第一規制手段と第二規制手段を有することにより、第二フックと第一フックとの相対的な初期の角度姿勢を保持しながら、容易に建物躯体の一部に第一フックを係止させることができ、第二フックに対して養生シートを取付けることができる。そして、このように第二フックに取付けられた養生シートを張設した状態にて、建物躯体の他の箇所や建物躯体の側方に建て付けられている仮設足場の一部に固定することができる。
【００１０】
ここで、第一フックが係止される「建物躯体」とは、建物躯体を形成する軒桁や柱、横下地材のほか、屋根の垂木や束材などが含まれる。また、第二フックの「水平面内の回動」とは、文字通り、水平面内における第二フックの回動の他、養生シートが第二フックに取付けられた状態において、この養生シートの広幅面を見た際にできる任意の平面内における第二フックの回動を含んでいる。一方、第二フックの「鉛直面内の回動」とは、文字通り、鉛直面内における回動を意味する。
【００１１】
例えば、主棟の外壁パネルが取付けられ、バルコニーの骨格が形成されるものの、その防水施工が未だ行われていない段階では、一時的にバルコニーを養生シートにて養生することが必要になる。この際、養生シート取付け部品を形成する第二フックに対して第一フックを所定角度傾斜させた状態を第二規制手段にて保持させることにより、第二フックに対して第一フックが首折れすることを防止できる。このように第二フックに対して第一フックが所定角度に傾斜された状態を保持しながら、養生シート取付け部品を例えば外壁パネルの上方から主棟の内側へ挿入することが可能になる。第二フックに対して第一フックが首折れしない態様で主棟の内側へ養生シート取付け部品が挿入されることにより、軒桁等に対して第一フックを引っ掛け易くできる。軒桁等に第一フックを引っ掛け、第二フックに養生シートを取付けて張設することにより、養生シートの一端を建物躯体へ容易に取付けることができる。なお、第二フックに養生シートを取付けた状態で養生シート取付け部品を主棟の内部に挿入し、第一フックを軒桁等に係止させてもよい。
【００１２】
そして、本態様の養生シート取付け部品を適用することにより、第一フックが係止される建物躯体の形態に関わらず、養生シート取付け部品を建物躯体の一部に係止させることができる。具体的には、建物躯体の係止箇所が軒桁の場合に、軒桁の外側に位置する外壁パネルが軒桁よりも上方まで延びている形態の主棟（例えば、片流れ屋根建物や陸屋根建物等）であっても、外壁パネルの外側から養生シート取付け部品を挿入し、軒桁に対して第一フックを容易に係止させることができる。さらに、ケラバの側方から持出し部がある場合に、このケラバにおいては、屋根パネルや垂木と外壁パネルとの間の隙間がせいぜい数十ｃｍ程度しかないことが往々にしてあるが、このように狭い隙間に対しても、第二フックに対して第一フックを首折れさせることなく、ケラバにおける外壁パネル内側の軒桁等に養生シート取付け部品を挿入し、第一フックを軒桁等に容易に係止させることができる。
【００１３】
第一フックと第二フックはいずれも、金属部品であってもよいし、ある程度の硬度を有する樹脂部品であってもよい。また、第一フックと第二フックの長さは様々な形態の組み合わせがあってよく、双方の長さが同じものであっても相違するものであってもよい。一例としては、第一フックが係止される建物躯体の対象がＨ形鋼等の形鋼材からなる軒桁の上フランジとした場合に、第一フックと第二フックの係合箇所が上フランジに載置される長さを有する第一フックと、この係合箇所から軒桁を超え、外壁パネルを超えて外部へ張出す位置までの長さを有する第二フックとを有する形態の養生シート取付け部品を挙げることができる。
【００１４】
また、本発明による養生シート取付け部品の他の態様において、前記第一フックは軸部を有し、該軸部の一端は前記建物躯体に係止される第一爪を有しており、
前記第二フックは軸部を有し、該軸部の一端は前記第一フックの他端に回動自在に係合し、該軸部の他端は少なくとも養生シートに係合する第二爪を有しており、
前記第一規制手段と前記第二規制手段がいずれも付勢部材であることを特徴とする。
【００１５】
本態様によれば、共に軸状の第一フックと第二フックが、共に付勢部材である第一規制手段と第二規制手段にて二方向の回動を規制されている、極めてシンプルな構成の養生シート取付け部品であることにより、製作コストを可及的に安価にすることができ、量産に好適となる。ここで、付勢部材としては、引っ張られた際に元に戻ろうとする引張コイルばね等の引張ばねやトーションばねなどを適用できる。例えば、軸状の第一フックと第二フックの係合箇所を跨ぐようにして、水平面内の回動を規制するように左右にそれぞれ引張ばねを取付けることができる。また、第一フックと第二フックの係合箇所を跨ぐようにして、鉛直面内の回動を規制するように別途の引張ばねを取付けることができる。
【００１６】
また、本発明による養生シート取付け部品の他の態様は、前記第一フックが前記軸部の先端に二股部を有し、二股部の各先端に前記第一爪を有することを特徴とする。
【００１７】
本態様によれば、建物躯体に係止される第一フックがその先端に二股部を有し、この二股部にある二つの第一爪にて建物躯体に養生シート取付け部品を係止することにより、養生シート取付け部品を安定的に建物躯体に係止することができる。
【００１８】
また、本発明による養生シート取付け部品の他の態様において、前記第一フックはＶ字状を成す二本の軸部を有し、各軸部は先端に前記建物躯体に係止される第一爪を有しており、
前記第二フックは軸部を有し、該軸部の一端は前記第一フックの二本の前記軸部の交点に回動自在に係合し、該軸部の他端は少なくとも養生シートに係合する第二爪を有しており、
前記第二フックのうち、前記第一フックに係合する一端には、前記第一フックの二本の前記軸部の内側にあるＶ字状片と、該Ｖ字状片の上下にある上片及び下片と、を有する規制ブロックが固定されており、
前記規制ブロックの前記Ｖ字状片が前記第一規制手段であり、前記規制ブロックの前記上片及び前記下片が前記第二規制手段であることを特徴とする。
【００１９】
本態様によれば、Ｖ字状を成す二本の軸部を有する第一フックを有することにより、二つの第一爪が比較的離れた位置で建物躯体に係止されることから、養生シート取付け部品をより一層安定的に建物躯体に係止させることができる。また、第二フックが規制ブロックを備え、この規制ブロックの有するＶ字状片がＶ字状を成す二本の軸部から形成される第一フックの内側にあることにより、第一規制手段であるＶ字状片にて第一フックの水平面内における回動を規制することができる。さらに、規制ブロックがＶ字状片の上下において例えばフラットで所定の広さを有する上片及び下片を有していることにより、第一フックに対して第二フックがある程度の角度まで回動した際に、規制ブロックの有する上片と下片のいずれか一方とＶ字状の第一フックとが干渉し、第二フックのそれ以上の回動を効果的に規制することができる。
【００２０】
また、本発明による建物の養生方法の一態様は、前記養生シート取付け部品の前記第一フックを前記建物躯体に係止し、前記第二フックに前記養生シートを取付け、該養生シートを、該建物躯体における前記第一フックが係止されていない他の箇所、もしくは、該建物躯体の側方にある仮設足場のいずれかに仮固定することを特徴とする。
【００２１】
本態様によれば、上記する本態様の養生シート取付け部品を用いることにより、養生シートが張設される建物の形態や張設位置に関わらず、比較的容易で、かつ雨漏れ等なく確実に養生できる態様にて、持出し部等の上に養生シートを張設することができる。
【００２２】
また、本発明による建物の養生方法の他の態様は、前記養生シート取付け部品の前記第二フックに、前記養生シートと該養生シートを下方から支持するバンドを取付け、該養生シートと該バンドを、該建物躯体における前記第一フックが係止されていない他の箇所、もしくは、該建物躯体の側方にある仮設足場のいずれかに仮固定することを特徴とする。
【００２３】
本態様によれば、養生シート取付け部品に対して養生シートに加えて養生シートを下方から支持するバンドを取付け、バンドを張設した上に養生シートを張設することにより、軒養生シートを下方に垂れさせることなく張設することができる。また、一度張設した養生シートの上に雨水が溜まろうとした際にも、養生シートがバンドで支持されていることにより、養生シートの初期の張設姿勢を維持することができる。そして、例えば主棟から外側に向かって斜め下方に傾斜した態様で養生シートが張設されている場合には、雨水を養生シート上に溜めることなく、この養生シートの勾配に沿って雨水を排水することができる。ここで、バンドとしては、仮設足場で多用されるゴムバンドや荷締め用バンドの他、紐やロープなどが適用できる。
【００２４】
また、本発明による建物の養生方法の他の態様において、前記建物躯体が形鋼材の上フランジであり、
前記養生シートにて施工中のバルコニーを養生することを特徴とする。
【００２５】
本態様によれば、建物躯体を形成するＨ形鋼等の形鋼材の上フランジを、養生シート取付け部品の第一フックの第一爪の係止対象とすることにより、養生シート取付け部品を建物躯体に対して安定的に係止させることができる。このＨ形鋼等の形鋼材としては、軒桁を形成する形鋼材が挙げられる。
【発明の効果】
【００２６】
以上の説明から理解できるように、本発明の養生シート取付け部品と建物の養生方法によれば、様々な形態の施工途中のバルコニー等の持出し部を、確実かつ排水性良好に養生することができる。
【図面の簡単な説明】
【００２７】
【図１】第１の実施形態に係る養生シート取付け部品の斜視図である。
【図２】第１の実施形態に係る養生シート取付け部品の水平面内における回動が規制されることを説明する図である。
【図３】第１の実施形態に係る養生シート取付け部品の鉛直面内における回動が規制されることを説明する図である。
【図４】第１の実施形態に係る養生シート取付け部品を用いた、第１の実施形態に係る建物の養生方法の一例を説明する図である。
【図５】第１の実施形態に係る養生シート取付け部品を用いた、第２の実施形態に係る建物の養生方法の一例を説明する図である。
【図６】第２の実施形態に係る養生シート取付け部品の斜視図である。
【図７】第３の実施形態に係る養生シート取付け部品の斜視図である。
【発明を実施するための形態】
【００２８】
以下、各実施形態に係る養生シート取付け部品と、実施形態に係る建物の養生方法について添付の図面を参照しながら説明する。なお、本明細書及び図面において、実質的に同一の構成要素については、同一の符号を付することにより重複した説明を省く場合がある。
【００２９】
［実施形態］
＜第１の実施形態に係る養生シート取付け部品＞
はじめに、図１乃至図３を参照して、第１の実施形態に係る養生シート取付け部品を説明する。ここで、図１は、第１の実施形態に係る養生シート取付け部品の斜視図である。また、図２は、第１の実施形態に係る養生シート取付け部品の水平面内における回動が規制されることを説明する図であり、図３は、第１の実施形態に係る養生シート取付け部品の鉛直面内における回動が規制されることを説明する図である。
【００３０】
養生シート取付け部品１００は、建物躯体に係止される第一フック１０と、一端が第一フック１０に回動自在に係合し、他端に養生シートが取付け自在である第二フック２０と、第一フック１０に対する第二フック２０の水平面内及び鉛直面内の回動を規制する規制ブロック３０と、を有する。第一フック１０と第二フック２０、及び規制ブロック３０はいずれも、金属部材であってもよいし、ある程度の硬度のある樹脂部材であってもよい。
【００３１】
第一フック１０は、二本の直線状の軸部１１が交点１２で連続したＶ字状を呈しており、各軸部１１の先端において、建物躯体の構成部材に直接係止される第一爪１３を有している。ここで、Ｖ字状の二本の軸部１１の間のなす角度はθ３である。
【００３２】
第二フック２０は、直線状の軸部２１と、軸部２１の一端において第一フック１０の交点１２に係合する係合爪２２と、軸部２１の他端において不図示の養生シートが取付けられる第二爪２３とを有する。
【００３３】
第二フック２０の係合爪２２には、規制ブロック３０が溶接等で接続されている。規制ブロック３０は、下片３２（第二規制手段）と、下片３２の上面に固定されているＶ字状片３１（第一規制手段）と、Ｖ字状片３１の上に固定されている上片３３（第二規制手段とを有する。下片３２と上片３３に対して係合爪２２が溶接等で接続されていることにより、第二フック２０と規制ブロック３０が接続される。
【００３４】
養生シート取付け部品１００は、外力を受けていない状態において、第二フック２０の軸線Ｌ１に対して、第一フック１０の軸線Ｌ２が、鉛直方向に角度θ１となるように第一フック１０と第二フック２０が相互に組み付けられている。ここで、軸線Ｌ２とは、Ｖ字状の二本の軸部１１にて形成される平面内において、交点１２から延びてＶ字状の中心角を通る線のことである。また、図示例の角度θ１の取り方は、第二フック２０の軸部２１を含む平面に対する第一フック１０の角度のうち、大きい方の角度としている。
【００３５】
第一フック１０と第二フック２０が係合した状態において、係合爪２２と交点１２との間にある程度の遊び（余裕代）があり、さらに下片３２が存在することにより、養生シート取付け部品１００が自由な状態（重力のみが作用している状態）のときには、第一フック１０が角度θ１となる位置で下片３２と干渉する。その結果、第一フック１０と第二フック２０の間の鉛直方向の角度がθ１に規制される。
【００３６】
このように、重力のみが作用する自由な状態において、第一フック１０と第二フック２０が所定の角度θ１で首折れした姿勢を保持することにより、例えば、建物の外壁の外側から、この外壁と屋根の隙間を介して養生シート取付け部品１００を挿入し、外壁の内側にある軒桁等の建物躯体の一部に対して第一フック１０の第一爪１３を引っ掛け易くできる。すなわち、このように養生シート取付け部品１００を建物躯体内に挿入し、建物躯体の一部に第一爪１３を引っ掛け易いような角度θ１が設定されるのがよく、この角度θ１は、例えば１０度乃至３０度程度の角度範囲となる。この養生シート取付け部品１００を建物躯体内に挿入して建物躯体の一部に引っ掛けて使用する内容については、以下の建物の養生方法の説明箇所において詳説する。
【００３７】
また、第一フック１０の軸線Ｌ２方向の長さｔ１は、例えば、第一爪１３が引っ掛けられる建物躯体の部材（例えばＨ形鋼）の幅（例えば、Ｈ形鋼の上フランジの幅）よりも短く設定されているのが好ましい。このことも以下の建物の養生方法の説明箇所において詳説するが、長さｔ１をこのように設定することにより、第一フック１０の第一爪１３と第二フック２０の一部との複数箇所を建物躯体に係合もしくは係止させることができ、建物躯体に対して養生シート取付け部品１００を安定的に取付けることが可能になる。
【００３８】
規制ブロック３０を形成するＶ字状片３１は、二つのプレートを溶接等でＶ字状に接続することにより、あるいは平面形状がＶ字状の柱体となるように一体に成形されることにより、図１に示すような形状形態にて製作される。
【００３９】
Ｖ字状片３１のＶ字のなす角度θ２は、第一フック１０の二本の軸部１１のなす角度θ３よりも小さく設定されている。このように、二本の軸部１１の内側にＶ字状片３１が配設されていることにより、第一フック１０の水平面内でのＸ１方向及びＸ２方向の回動を規制することができる。ここで、水平面内の回動とは、水平面内における第二フック２０の回動の他、不図示の養生シートが第二フック２０の第二爪２３に取付けられた状態において、この養生シートの広幅面を見た際にできる任意の平面内における第二フック２０の回動を含む意味である。また、水平面内での回動は、二つの第一爪１３を不図示のＨ形鋼の上フランジに引っ掛けた際に、このＨ形鋼の長手方向への回動とも言える。
【００４０】
また、規制ブロック３０のＶ字状片３１の上下において、上片３３と下片３２が所定の広がりをもってＶ字状片３１に対して例えば直交する方向に延出していることにより、第一フック１０に対する第二フック２０の鉛直面内におけるＺ１方向やＺ２方向の回動を規制することができる。例えば、第二フック２０がある程度Ｚ１方向に回動した際に、規制ブロック３０の上片３３と第一フック１０の二本の軸部１１の双方もしくは一方とが干渉すること等により、鉛直面内における上方への回動が規制できる。一方、第二フック２０の下方のＺ２方向への回動に対する規制は、上記するように自由な状態において、第一フック１０と第二フック２０の鉛直方向の角度がθ１となるように養生シート取付け部品１００が設定されていることから、角度θ１を超えるＺ２方向への回動は自動的に規制されている。
【００４１】
このように、第一フック１０に対する第二フック２０の水平面内及び鉛直面内の回動が規制されることを、図２及び図３を参照してそれぞれ説明する。なお、図２及び図３において、養生シート取付け部品１００が取り付けられる建物躯体を、Ｈ形鋼からなる軒梁２００の上フランジ２１０として説明する。
【００４２】
図２は、図２（ａ）において、水平面内においてＸ１方向に第二フック２０が回動した状態でそれ以上の回動が規制されていることを示しており、図２（ｂ）において、水平面内においてＸ２方向に第二フック２０が回動した状態でそれ以上の回動が規制されていることを示している。
【００４３】
例えば、図２（ａ）では、養生シート取付け部品１００の右側に何等かの障害物（図示略）がある場合に、この障害物を交わすように第二フック２０を左側にＸ１方向に回動させ、この姿勢にて養生シート取付け部品１００を軒梁２００側にＹ１方向にアクセスさせる。次いで、図２（ｃ）に示すように、第一フック１０の二つの第一爪１３を上フランジ２１０のエッジに引っ掛け、第二フック２０の回動姿勢を元に戻すことにより、軒梁２００に対する養生シート取付け部品１００の取付けを行うことができる。一方、図２（ｂ）では、養生シート取付け部品１００の左側に何等かの障害物（図示略）がある場合に、この障害物を交わすように第二フック２０を右側にＸ２方向に回動させ、この姿勢にて養生シート取付け部品１００を軒梁２００側にＹ１方向にアクセスさせる。次いで、図２（ｃ）に示すように、第一フック１０の二つの第一爪１３を上フランジ２１０のエッジに引っ掛け、第二フック２０の回動姿勢を元に戻すことにより、軒梁２００に対する養生シート取付け部品１００の取付けを行うことができる。
【００４４】
図２（ａ）、（ｂ）に示すように、第一フック１０に対して第二フック２０を水平面内で回動させた場合でも、規制ブロック３０のＶ字状片３１にて第一フック１０の回動が規制される。その結果、建物躯体に養生シート取付け部品１００を取付けるに際して、障害物等を交わしながら養生シート取付け部品１００を建物躯体にアクセスさせることを可能にしながらも、第一フック１０に対して第二フック２０が過度に水平面内で回動することを抑制することができる。そのため、建物躯体に対して第一爪１３を引っ掛け難いといった問題が生じることはなく、建物躯体に対する取付け性が良好な養生シート取付け部品１００となる。
【００４５】
一方、図３のうち、図３（ａ）は、Ｈ形鋼からなる軒梁２００の上フランジ２１０に対して養生シート取付け部品１００をＹ１方向にアクセスさせている状態を側方から見た状態を示しており、例えば図２（ａ）や図２（ｂ）を側方から見た図である。図３（ｂ）に示すように、第一爪１３を上フランジ２１０のエッジに引っ掛け、第二フック２０の一部を上フランジ２１０の他方のエッジに係止させることにより、軒梁２００の上フランジ２１０に対して養生シート取付け部品１００が取付けられる。
【００４６】
図３（ｂ）に示すように、上フランジ２１０に養生シート取付け部品１００が取付けられた状態において、第一フック１０の二本の軸部１１の二つの第一爪１１が上フランジ２１０の一方のエッジのＰ１点およびＰ２点に係合し、第二フック２０の軸部２１がその途中位置で上フランジ２１０の他方のエッジのＰ点にて係止される。このように、上フランジ２１０の三点で養生シート取付け部品１００が係合もしくは係止されることにより、軒梁２００に対して養生シート取付け部品１００を安定的に取付けることができる。
【００４７】
また、図３（ｃ）に示すように、例えば、軒梁２００の上フランジ２１０に対して取付けられた養生シート取付け部品１００に対し、下方から強風が吹き込んできて第二フック２０が鉛直面内で上方にＺ１方向に回動することが想定される。このような場合でも、規制ブロック３０の上片３３によって第一フック１０に対する第二フック２０の鉛直面内における上方への回動が規制されていることにより、例えば強風が静まった際に、持ち上げられた第二フック２０は下方へ自重にて落下し、図３（ｂ）に示す取付け姿勢に戻ることができる。仮に、規制ブロック３０による規制がない場合、第二フック２０が建物躯体の内側まで回動し、養生シート取付け部品１００を図３（ｂ）に示す取付け姿勢に戻す手間が生じ得る。
【００４８】
なお、養生シート取付け部品１００を形成する規制ブロック３０の構成は図示例に限定されるものでなく、少なくとも第一規制手段と第二規制手段を有する様々な形態が適用可能である。また、図示例では、第二フック２０に対して規制ブロック３０が接続されているが、第一フック１０に対して規制ブロック３０が接続され、この規制ブロック３０に対して第二フック２０の回動が規制されるような形態であってもよい。
【００４９】
＜第１の実施形態に係る建物の養生方法＞
次に、図４を参照して、第１の実施形態に係る建物の養生方法を説明する。ここで、図４は、第１の実施形態に係る養生シート取付け部品を用いた、第１の実施形態に係る建物の養生方法の一例を説明する図である。なお、必要に応じて、図２及び図３をともに参照して説明する。
【００５０】
図４に示す建物７００は、例えば、寄棟や切妻の屋根を有する二階建ての鉄骨造の建物７００であり、外壁から外側に持出されている持出し部が二階のバルコニー５００である。そして、第１の実施形態に係る建物の養生方法は、このバルコニー５００の施工途中においてバルコニー５００の内部を養生シート６００にて養生する方法を説明するものである。
【００５１】
図示例の建物７００において、外壁３００は、窯業系サイディング材等から形成される外壁パネル３１０と、外張り断熱材３２０と、充填断熱材３３０が水平方向に積層して形成されており、外壁パネル３１０と外張り断熱材３２０の間に通気層３４０が介在している。なお、外壁３００の構成は図示例に限定されるものでなく、その他の構成の外壁であってもよい。また、充填断熱材３３０の内側に配設される石膏ボード等の内壁材の図示は省略している。
【００５２】
外壁３００が二階まで施工され、屋根４００の施工も行われている。図示する屋根４００は、野地板やルーフィング、葺き板等から形成される屋根材４１０と、棟から傾斜して延びて屋根材４１０を支持する垂木４２０を有する。
【００５３】
外壁３００の内側にはＨ形鋼から形成される軒桁２００が外壁３００の幅方向（水平方向）に延びて配設されている。これらの屋根４００や外壁３００、軒桁２００等が建物躯体に含まれる。図示例の建物７００では、軒桁２００を形成するＨ形鋼の上フランジ２１０が、外壁３００の天端よりも上方に位置している。
【００５４】
図示例の施工段階は、外壁３００から持出されているバルコニー５００の施工において、跳ねだし梁５１０の建込みや、笠木５２１を有する腰壁５２０の組み付けが完了しているものの、バルコニー５００の内側の防水施工が未処理の段階である。
【００５５】
作業員は、跳ねだし梁５１０や、腰壁５２０の外側に設けられてよい不図示の仮設足場等を足場として、バルコニー５００に対応する位置の軒桁２００の上フランジ２１０に対して、複数の養生シート取付け部品１００の取付けを行う。具体的には、外壁３００の天端と垂木４２０の間の隙間Ｇを介して、養生シート取付け部品１００を外壁３００の内側に挿入する（図２（ａ）、（ｂ）、図３（ａ）参照）。そして、第一フック１０の第一爪１３を上フランジ２１０の一方のエッジに引っ掛け、第二フック２０を上フランジ２１０の他方のエッジに係止させることにより、図４や図２（ｃ）、図３（ｂ）に示すように養生シート取付け部品１００を上フランジ２１０の三点に係合もしくは係止させる。
【００５６】
各養生シート取付け部品１００の第二爪２３に対して、まず、バンド６１０の一端を引っ掛け、バンド６１０の他端を腰壁５２０の適所に係合させることにより、バルコニー５００の上方に複数本のバンド６１０を張設する。ここで、バンド６１０には、仮設足場で多用されるゴムバンドや荷締め用バンド、紐やロープなどが適用される。
【００５７】
そして、複数のバンド６１０に支持されるようにして、養生シート６００の一端を同様に第二爪２３に係合させ、養生シート６００の他端を腰壁５２０に係合させることにより、バルコニー５００の養生が行われる。なお、複数本のバンド６１０と養生シート６００を一体にしたものを予め用意しておき、双方に共通の複数の係合リング等を各養生シート取付け部品１００の第二爪２３に係合させるようにしてもよい。また、養生シート取付け部品１００の軒桁２００への取付けに当たり、第二爪２３に養生シート６００等を係合させた状態で、養生シート取付け部品１００を軒桁２００に取付けてもよい。
【００５８】
この建物の養生方法では、例えば、外壁３００の天端と屋根４００の垂木４２０の間の隙間Ｇの高さが狭い場合でも、第一フック１０と第二フック２０が所定の角度θ１で首折れした姿勢を保持していることから、養生シート取付け部品１００を隙間Ｇを介して外壁３００の内側に挿入した後、軒桁２００の上フランジ２１０のエッジに対して第一爪１３を引っ掛け易い。図示を省略するが、仮に第一フックと第二フックが首折れせずに真っ直ぐな場合を想定すると、その際に上フランジ２１０のエッジに第一爪を引っ掛け難いことが容易に想定できる。
【００５９】
また、図示する養生方法では、養生シート６００が張設された複数本のバンド６１０にて支持されていることから、取付け時の傾斜姿勢を保持することができ、養生シート６００上に雨水が溜まり難く、バルコニー５００の外側へ雨水を効果的に排水することができる。また、図４において、第二爪２３の立ち上がり長さｈ１や、最下点を通って軸部２１に平行なラインからの角度θ４（第二爪２３の曲げ角度）を、養生時に想定される養生シート６００の角度θ５との関係から、最適な長さｈ１や曲げ角度θ４となるように設定するのがよい。具体的には、養生シート６００の下方から風が吹き上げてくる場合、養生シート６００と第二爪２３の係合態様によっては、養生シート６００が第二爪２３から係合解除されてしまう。その際、養生シート６００の傾斜角度θ５が影響してくる。そこで、第二爪２３に対する養生シート６００の良好な取付け性を勘案した上で、取付けられている養生シート６００の下方から吹上げてくる風に対して養生シート６００が第二爪２３から係合解除しないように、第二爪２３の長さｈ１と曲げ角度θ４を設定しておくのが好ましい。
【００６０】
＜第２の実施形態に係る建物の養生方法＞
次に、図５を参照して、第２の実施形態に係る建物の養生方法を説明する。ここで、図５は、第１の実施形態に係る養生シート取付け部品を用いた、第２の実施形態に係る建物の養生方法の一例を説明する図である。なお、必要に応じて、図２及び図３をともに参照して説明する。
【００６１】
図５に示す建物７００Ａは、例えば、片流れの屋根を有する鉄骨造の建物において、屋根の頂部から所定長さ落ち込んだ位置において、外壁から外側に未踏の持出し部が持出されている建物である。そして、第２の実施形態に係る建物の養生方法においても、この持出し部５００Ａの施工途中において、持出し部５００Ａの内部を養生シートにて養生する方法を説明するものである。
【００６２】
図示する片流れの屋根４００Ａを有する建物７００Ａでは、往々にして、図示するように、外壁３００の天端よりも外壁の内側にある軒桁２００を形成するＨ形鋼の上フランジ２１０が下方（矢印方向）に落ち込んだ位置に配設される。従って、一般には、このように外壁３００の天端から下方に落ち込んだ軒桁２００に養生シートを固定することは困難もしくは不可能である。しかしながら、図示するように、第一フック１０に対して第二フック２０が角度θ１で首折れした姿勢を維持している養生シート取付け部品１００を適用することにより、第一爪１３を軒桁２００の上フランジ２１０のエッジに対して容易に引っ掛けることができる。
【００６３】
そして、図示例の場合は、二つの第一爪１３が上フランジの二点Ｐ１，Ｐ２に係合するとともに、第二フック２０が外壁３００を形成する充填断熱材３３０の上方の横下地材３５０のエッジの点Ｐ３に係止される。すなわち、図４に示す形態とは三点での係合及び係止形態が異なるものの、同様に三点で養生シート取付け部品１００が係合及び係止されることになり、安定した状態で建物躯体に対して養生シート取付け部品１００を取付けることができる。
【００６４】
建物躯体に対して取付けられている養生シート取付け部品１００の第二爪２３に対し、養生シート６００の一端を係合し、他端を例えば持出し部５００Ａのパラペット５３０等に係合して張設することにより、養生シート６００による持出し部５００Ａの養生が行われる。なお、図５の養生方法においても、図４に示すバンド６１０を張設して養生シート６００を支持してもよい。
【００６５】
図示を省略するが、図４及び図５に示す形態の建物以外の形態の建物や、建物の他の部位においても、バルコニー等の持出し部の施工途中の養生を、図４及び図５に示す方法と同様の方法にて行うことができる。例えば、図４に示す軒元における養生以外にも、ケラバ側において外壁から持出し部が持出されている場合には、このケラバにおける持出し部の養生を同様の方法で行うことができる。また、陸屋根の建物において、外壁から持出し部が持出されている場合に、陸屋根のパラペットの内側に架設されている軒桁に養生シート取付け部品１００の第一爪１３を引っ掛け、パラペットに例えば第二フック２０を係止させた状態で、第二爪２３と持出し部の適所の間に養生シート６００を張設させて養生してもよい。
【００６６】
＜第２の実施形態に係る養生シート取付け部品＞
次に、図６を参照して、第２の実施形態に係る養生シート取付け部品を説明する。ここで、図６は、第２の実施形態に係る養生シート取付け部品の斜視図である。養生シート取付け部品１００Ａは、建物躯体に係止される第一フック１０Ａと、一端が第一フック１０Ａに回動自在に係合し、他端に養生シートが取付け自在である第二フック２０と、第一フック１０Ａに対する第二フック２０の水平面内の回動を規制する引張りコイルばね４１，４２と、鉛直面内の回動を規制する引張りコイルばね４３，４４とを有する。
【００６７】
第一フック１０Ａは、一本の直線状の軸部１１と、第二フック２０の係合爪２２と係合する係合爪１４を有する点において、養生シート取付け部品１００の第一フック１０と相違する。さらに、第一フック１０Ａに対する第二フック２０の水平面内と鉛直面内の各回動を規制する第一規制手段と第二規制手段として、共に二本の付勢部材である引張りコイルばね４１，４２，４３，４４を有している点において、養生シート取付け部品１００の規制ブロック３０と相違する。なお、付勢部材としては、引張コイルばねの他に、トーションばね等であってもよい。
【００６８】
養生シート取付け部品１００Ａにおいても、引張りコイルばね４１，４２，４３，４４により、第一フック１０Ａと第二フック２０が、なす角度θ１で首折れした状態が維持される。また、第一フック１０Ａに対して第二フック２０が水平面内でＸ１方向に回動しようとした際に、回動方向と反対側にある引張りコイルばね４１による戻し力により、第二フック２０のＸ１方向への過度の回動が規制される。同様に、第一フック１０Ａに対して第二フック２０が水平面内でＸ２方向に回動しようとした際に、回動方向と反対側にある引張りコイルばね４２による戻し力により、第二フック２０のＸ２方向への過度の回動が規制される。
【００６９】
また、鉛直面内における回動の規制も同様に行われる。第一フック１０Ａに対して第二フック２０が鉛直面内でＺ１方向に回動しようとした際に、回動方向と反対側にある引張りコイルばね４３による戻し力により、第二フック２０のＺ１方向への過度の回動が規制される。同様に、第一フック１０Ａに対して第二フック２０が鉛直面内でＺ２方向に回動しようとした際に、回動方向と反対側にある引張りコイルばね４４による戻し力により、第二フック２０のＺ２方向への過度の回動が規制される。
【００７０】
養生シート取付け部品１００Ａによれば、第一フック１０Ａと第二フック２０がいずれも一本の軸部１１，２１から形成されることにより、製作コストを可及的に安価にできる。養生シートによる施工現場の養生は必須の作業と言っても過言でないことから、養生シート取付け部品１００Ａの数が多くなるにつれて、製作コストが安価であるという効果は顕著な効果になり得る。
【００７１】
＜第３の実施形態の養生シート取付け部品＞
次に、図７を参照して、第３の実施形態に係る養生シート取付け部品を説明する。ここで、図７は、第３の実施形態に係る養生シート取付け部品の斜視図である。養生シート取付け部品１００Ｂは、建物躯体に係止される第一フック１０Ｂと、一端が第一フック１０Ｂに回動自在に係合し、他端に養生シートが取付け自在である第二フック２０と、第一フック１０Ｂに対する第二フック２０の水平面内の回動を規制する引張りコイルばね４１，４２と、鉛直面内の回動を規制する引張りコイルばね４３，４４とを有する。
【００７２】
第一フック１０Ｂの有する一本の直線状の軸部１１の先端が二股に分かれた二股部を有し、この二股部において二つの第一爪１３を有する点において、養生シート取付け部品１００Ａと相違する。建物躯体に係合される第一爪１３を複数有することにより、建物躯体に対する係合状態の安定化を図ることができる。また、引張りコイルばね４１，４２，４３，４４を有することにより、養生シート取付け部品１００Ａと同様の効果が得られる。
【００７３】
なお、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００７４】
１０，１０Ａ，１０Ｂ：第一フック、１１：軸部、１２：交点、１３：第一爪、１４：係合爪、２０：第二フック、２１：軸部、２２：係合爪、２３：第二爪、３０：規制ブロック、３１：Ｖ字状片（第一規制手段）、３２：下片（第二規制手段）、３３：上片（第二規制手段）、４１，４２：引張りコイルばね（第一規制手段、付勢部材）、４３，４４：引張りコイルばね（第二規制手段、付勢部材）、１００，１００Ａ，１００Ｂ：養生シート取付け部品、２００：軒桁（Ｈ形鋼）、２１０：上フランジ、３００：外壁、３１０：外壁パネル、４００，４００Ａ：屋根、４１０：屋根材、４２０：垂木、５００：バルコニー（持出し部）、５００Ａ：持出し部、５１０：跳ねだし梁、５２０：腰壁、５２１：笠木、６００：養生シート、６１０：バンド、７００，７００Ａ：建物
【図１】
2019167702.tif 000003
【図２】
2019167702.tif 000004
【図３】
2019167702.tif 000005
【図４】
2019167702.tif 000006
【図５】
2019167702.tif 000007
【図６】
2019167702.tif 000008
【図７】
2019167702.tif 000009